(57)【特許請求の範囲】
【請求項１】
複数を列状に配置した遊技機と、前記遊技機の上方に配置される上部ユニットと、前記上部ユニットの上部に配置される幕板とを備え、前記上部ユニットのフレームと前記幕板との間に蝶番を介装して、前記幕板を開閉自在に構成する取付機構であって、
前記取付機構は、一対の片が中心軸で結合された蝶番と、前記蝶番の一方の片に設けられたロッドと、係止部と開放端とを有する針金状部材とを備え、
前記蝶番は、前記ロッドが設けられた一方の片を自由端とし、他方の片を前記幕板に固定し、
前記ロッドは、前記フレームに貫通形成された係合孔に挿通して先端を突出させ、前記針金状部材は、前記開放端を前記蝶番の中心軸に係止し、前記係止部を前記ロッドの先端に係止することを特徴とする遊技機用幕板の取付機構。
【請求項２】
前記針金状部材の係止部は、三角形状とすることを特徴とする請求項１記載の遊技機用幕板の取付機構。
【請求項３】
前記開放端は、一対の略Ｌ字状部材からなり、当該Ｌ字状部材を前記係止部に対して、ほぼ垂直に屈曲させることを特徴とする請求項１または２記載の遊技機用幕板の取付機構。
【発明の詳細な説明】
【０００１】
【発明の属する技術分野】
本発明は、複数の遊技機を配置した遊技機島における遊技機上方に配置する幕板の取付機構に関する。
【０００２】
【従来の技術】
遊技機島において、複数の遊技機が１列又は互いに背面を合わせて２列に配置されている。遊技機の上方に、遊技機島の長手方向に、遊技機数台毎に対応して区分された幕板が装着されている。幕板は、その上端部が蝶番を介して遊技機島上部に向かって開閉可能に配置されている。この幕板は通常は閉じられており、遊技機島上部内部を保護している。幕板を開けて、遊技機島上部内の球補給樋等の関連設備を保守、点検することができる。
【０００３】
また、幕板の主要部をなす表面パネルには、例えば、遊技設備のメーカー名、遊技場名等の広告文字や絵柄を記したものが多く、遊技店内にて幕板は一種の広告板としての役割も果たしている。
【０００４】
【発明が解決しようとする課題】
しかしながら、前述したような従来の幕板は、その取り付けに際して、相当重量のある幕板を高い位置に、ネジなどにより蝶番を遊技機島上部に装着しなければならず、その取り付け作業に時間がかかり、コストがかかるという問題がある。更に、幕板の表面パネルを変更する場合や幕板を修理若しくは交換するために幕板を遊技機島から取り外す場合には、ネジをゆるめ幕板を一旦外して下に降ろす必要がある。幕板は、その長さが長く、また、重量も大きいので、幕板を取り外す作業は、非常に面倒なものとなっている。一旦、取り外した幕板は再び遊技機島上部に取り付ける必要があり、この作業も既に述べたように、面倒なものである。
【０００５】
本発明は、以上の問題を軽減するためになされたもので、幕板を遊技機島上部に容易に装着できかつ容易に取り外せる幕板取付機構を提供しようとするものである。即ち、本発明は、幕板の装着、取り外しが容易で、短時間にしかも低コストで幕板を遊技機上部に取り付ける幕板取付機構を提供するものである。
【０００６】
【課題を解決するための手段】
上記目的を達成するために、本発明は、複数を列状に配置した遊技機と、前記遊技機の上方に配置される上部ユニットと、前記上部ユニットの上部に配置される幕板とを備え、前記上部ユニットのフレームと前記幕板との間に蝶番を介装して、前記幕板を開閉自在に構成する取付機構であって、前記取付機構は、一対の片が中心軸で結合された蝶番と、前記蝶番の一方の片に設けられたロッドと、係止部と開放端とを有する針金状部材とを備え、前記蝶番は、前記ロッドが設けられた一方の片を自由端とし、他方の片を前記幕板に固定し、前記ロッドは、前記フレームに貫通形成された係合孔に挿通して先端を突出させ、前記針金状部材は、前記開放端を前記蝶番の中心軸に係止し、前記係止部を前記ロッドの先端に係止するようにした。
【０００７】
前記針金状部材の係止部は、三角形状とすることができる。前記開放端は、一対の略Ｌ字状部材からなり、当該Ｌ字状部材を前記係止部に対して、ほぼ垂直に屈曲させることができる。
【０００９】
幕板を着脱自在に取り付ける方法が、特開平１１−２０７０１２に開示されている。即ち、取付部材を備え、該取付部材を幕板本体の背面側に下向きに突設し、該取付部材を、島上段に下側へ凹んだ状態に設けた被係合溝に対して係合するよう形成したものである。これにより、島上段に予め設けられた被係合溝に対して、上側から幕板に設けた取付部材を係合させるだけで、幕板を島上段に取り付けることができる。
【００１０】
しかしながら、この方法は、取付部材、その強度が問題になる。幕板のような重量のあるものを、取付部材で支えることになる。幕板は、取付部材とは蝶番で連接されているが、取付部材の大きさを大きくすることができないので、取付部材から蝶番が破損する可能性がある。蝶番が破損すると、幕板は落下するので、その下で遊技を楽しんでいる人の上に幕板が落下する危険性がある。その上、重量のある幕板を持ち上げて、それほど大きくもない取付部材と被係合溝に合わせる必要があり、これはかなり大掛かりな作業となる。
【００１１】
この点、本発明においては、幕板を遊技機島上部に取り付けるに際しても、幕板取り付け用上部ユニットフレームに穿設した係合孔と蝶番の自由片に設けたロッドを挿入すればよく、また、フレーム下部から突出した挿入ロッドと幕板蝶番とを連接係止する針金状の金具を取り付けるが、これは軽いものであるから、容易に取り付け、また、取り外しすることができる。
【００１２】
【発明の実施の形態】
本発明を実施形態に基づいて説明する。図１は、遊技機島１の一部正面を示したものである。遊技機島は、複数の遊技機１５が配列したものである。遊技機１５の上にはランプパネル１２が設けられ、その上に幕板２が配置されている。幕板２は、開閉可能に装着されている。幕板２は、通常は閉じられており、遊技機島上段内部を隠蔽している。遊技機島上段内の球補給樋等の関連設備の保守、点検をするとき等に開けて、所用の作業を行う。
【００１３】
遊技機島１の各遊技機１５の上部を示したのが図５である。遊技機島１の支柱９に上部ユニット１１が取り付けられ、該上部ユニット１１の横フレーム５に幕板２が開閉自由に取り付けられる。上部ユニット１１は、遊技機２台分の長さを１単位としている。即ち、遊技機２台毎に１個の上部ユニットが取り付けられる。上部ユニット１１の左右の両端に上部ユニット１１を支柱９に取り付けるための係止片１０が設けられ、該係止片１０と支柱９とをネジ止めされ、上部ユニット１１が支柱９に固定される。係止片１０の巾はおよそ支柱９の巾の１／２である。図５では１個の上部ユニット１１のみを描いているが、実際には、該上部ユニットの左右に上部ユニットが、同様に、支柱に係止片でネジ止めされ、固定される。そのため、上部ユニット１１の係止片１０の巾は、支柱の巾のおよそ１／２になっている。支柱９は、垂直方向に立設する遊技機島の基本骨格を形成するものである。
【００１４】
幕板２を上部ユニット１１に取り付ける状況を示したのが、図２である。幕板２は、上部ユニット１１と同様に遊技機２台分の長さを単位としている。即ち、遊技機２台毎に１枚の幕板２が設けられる。幕板２は、幕板本体１７は木製であり、その上下にコの字形にした金属板からなる幕板横枠１６、１８が設けられている。幕板２の上部横枠１８の左右の両端付近の２カ所に、蝶番３、３’が取り付けられている。蝶番３、３’の固定片は、幕板２にネジ止めされ、固定されている。蝶番３、３’の自由片にはロッド６、６’が装着されている。このロッド６、６’を上部ユニット横フレーム５に穿設された係合孔７と８及び７’と８’に挿入し、幕板２を、上部ユニット横フレーム５に取り付ける。幕板２は、上部ユニット１１に開閉自在に装着される。更に、蝶番３、３’及びロッド６、６’に針金状の金具４、４’を取り付ける。このように、幕板２は、幕板２に取り付けられた蝶番３、３’を上部ユニット横フレーム５にロッド６、６’を介して容易に取り付けることができる。針金状の金具４、４’は、蝶番３、３’に手で差し込み、かつ、ロッド６、６’に係止することにより極めて容易に取り付けることができる。
【００１５】
幕板２を上部ユニット横フレーム５に取り付ける際の詳細図を、図３に示した。図２及び図３において、上部ユニット横フレーム５は、ほぼＳ字状断面の金属板部２３と略Ｚ字状断面の金属板部２４を接続した形状をしている。横フレーム５は、水平面が３か所、垂直面が３か所からなる金属板である。即ち、上部ユニットのフレームは、略Ｓ字状金属板部２３と略Ｚ字状金属板部２４とからなり、該略Ｓ字状金属板部２３に１面の水平面２５と２面の垂直面２８、２９を有し、該略Ｚ字状金属板部２４に２面の水平面２６、２７と１面の垂直面３０を有し、該略Ｚ字状金属板部２４の最上の水平面２６及び略Ｓ字状金属板部２３の最下の水平面２５にそれぞれ係合孔が穿設されている。水平面２６には係合孔７、７’が、及び水平面２５には係合孔８、８’が穿設されている。幕板２に取り付けられた蝶番３は、蝶番３と上部ユニットの横フレーム５に穿設された係合孔７及び８にロッド６を挿入することにより取り付けられる。幕板２に取り付けられた蝶番３’は、蝶番３’と上部ユニットの横フレーム５に穿設された係合孔７’及び８’にロッド６’を挿入することにより取り付けられる。
【００１６】
針金状金具４の取り付け状況を、図４に示した。針金状金具４は、上部ユニット１１の横フレーム５に穿設された係合孔７と８に挿入されたロッド６の先端部及び蝶番３に取り付けられている。針金状金具４は、図２、図３に示したとおりの形状をしている。即ち、三角形をなした部分１９に、ほぼ直角にＬ字状をなした開放部２０、２１を接続したような形状をしている。該針金状金具４は、三角形１９の部分で一種のバネの作用をなす。針金状金具４の三角部１９の中心部分をロッド６の先端部分に係止し、略Ｌ字状をした開放部を蝶番３の上側に引っ掛けている．このため、幕板２を上方に引き上げて取り外すようにしても、針金状金具４によって、取り外すことができない。このことにより、幕板を開いて点検する際に、誤って幕板が脱落することを防ぐことができる。
【００１７】
以上説明したきたように、本発明の幕板取り付け機構は、幕板に取り付けた蝶番と上部ユニットの横フレームにロッドを挿入、係止し、かつ、針金状金具を取り付けるものである。作業操作は、極めて簡単で、容易なものである。幕板の取り外しも、針金状金具を外すことにより、簡単にできる。
【００１８】
【発明の効果】
本発明は、幕板をロッドの挿入と針金状金具の差し込みで取り付けるものであり、幕板の取り付け、取り外しが極めて簡単で、容易である。遊技機島全体の組み立ての作業効率化にも役立つものである。本発明は、幕板の取り付け、取り外しの作業が、簡単で容易になり、作業時間の短縮が図られ、遊技機島組み立て全体の作業の効率化にも役立つものであり、コストの低減につながる。また、遊技機島組み立ての部品は、基本的には、金属製であり、遊技機島全体及び島各部の強度も十分確保されたものとなっている。更に、遊技機島を新たな場所に移動する場合にも、遊技機島を解体し、解体した部品を輸送し、従前使用していた部品を再利用して新たな場所に遊技機島を組み立てることができる。
【図面の簡単な説明】
【図１】遊技機島の一部を示す図である
【図２】幕板を上部ユニット横フレームに取り付ける状況を示す図である
【図３】幕板を上部ユニット横フレームに取り付ける際の詳細図である
【図４】針金状金具の取り付け状況を示す図である
【図５】遊技機上部を示す図である
【符号の説明】
１                    遊技機島
２                    幕板
３、３’              蝶番
４、４’              針金状金具
５                    上部ユニット横フレーム
６、６’              ロッド
７、７’              係合孔
８、８’              係合孔
９                    支柱
１０                  係止片
１１                  上部ユニット
１２                  ランプパネル
１５                  遊技機
１６、１８            幕板横枠
１７                  幕板本体
１９                  針金状金具三角部
２０、２１            針金状金具開放部
２３                  略Ｓ字状板部
２４                  略Ｚ字状板部
２５                  略Ｓ字状板部の水平面
２６                  略Ｚ字状板部の上方の水平面
２７                  略Ｚ字状板部の下方の水平面
２８、２９            略Ｓ字状板部の垂直面
３０                  略Ｚ字状板部の垂直面
【図１】
0004220148.tif 000002
【図２】
0004220148.tif 000003
【図３】
0004220148.tif 000004
【図４】
0004220148.tif 000005
【図５】
0004220148.tif 000006